(57)【要約】【課題】  ＩＳ補正機能と省エネ化を両立させながら、バッテリ残量低下時の機器の使い勝手を改善させた光学機器を提供することにある。【解決手段】  電池残量が少なくなったら、ＩＳ時間自動設定モード１は解除して、積極的に省エネ効果があるＩＳ時間操作モード２に移行させる制御を行う。【選択図】  図３
2010085914.tif 000002
【特許請求の範囲】
【請求項１】
手ぶれを補正する振れ補正手段と、機器の手ぶれ状態を検出する振れ検出手段と、前記振れ検出信号に基づいて前記振れ補正手段を制御する手ぶれ制御手段と、前記機器の電源電圧量を検出する残量検出手段と、スイッチを操作することによって前記手ぶれ補正動作のＯＮ状態又はＯＦＦ状態を切換えるための操作スイッチと、前記操作スイッチの操作を検出する操作スイッチ検出手段と、を備えた手ぶれ補正機能を有する光学機器であって、
前記操作スイッチを操作することによって所定時間だけ手ぶれ補正動作のＯＮ状態を前記手ぶれ制御手段により継続する第１の操作モードと、前記操作スイッチを操作し続けている間のみ手ぶれ補正動作のＯＮ状態を前記手ぶれ制御手段により継続する第２の操作モードと、を備え、
前記残量検出手段で検出された前記電源電圧量が所定値未満の場合、前記第１の操作モードの動作を禁止して前記第２の操作モードの動作を許可するモード設定手段と、を有することを特徴とする光学機器。
【請求項２】
前記モード設定手段は、前記残量検出手段で検出された前記電源電圧量が所定値以上の場合、前記第１の操作モード及び前記第２の操作モードの両方の動作を許可する手段である請求項１に記載の光学機器。
【請求項３】
前記残量検出手段で検出された前記電源電圧量が所定値未満の場合、表示画面に電源電圧量の残量が少ない事を警告表示する残量警告手段と、を有する請求項１又は２に記載の光学機器。
【発明の詳細な説明】
【技術分野】
【０００１】
本発明は、手振れ補正機能を有する双眼鏡（観察装置）やビデオカメラ、デジタルカメラ、スチルカメラ等の撮影装置に適用した光学機器に関するものである。
【背景技術】
【０００２】
双眼鏡やカメラ等の光学機器には、手振れ等の振れをジャイロセンサ等の振れセンサにより検出し、振れセンサからの出力に基づいて像振れを抑制する振れ補正レンズを駆動する手振れ補正（防振）システムが搭載されている。
【０００３】
このような手振れ補正システムには、手振れ補正スイッチの操作に応じて動作を開始した後、再度、手振れ補正スイッチが操作されることで、その手振れ補正動作を停止する機能を有するものがある。
【０００４】
また、特に、手振れ補正機能付き双眼鏡では、双眼鏡の携帯して移動しながら、手振れ補正機能を使用した観察と手振れ補正機能を使用しない目視での観察を繰り返し行うことが多い。
【０００５】
この為、使い勝手とバッテリーの持ち時間を考慮して、手振れ補正スイッチの操作（スイッチを押す）を行っている間のみ手振れ補正システムが作動し、操作（スイッチを離す）を止めると共に手振れ補正動作も停止するものがある。
【０００６】
更に、手振れ補正スイッチを１回操作すると、所定時間だけ自動的に手振れ補正システムの動作が継続され、所定時間後に自動的に手振れ補正動作を停止するものがある。
【０００７】
更に、特許文献１において、本発明人が、省エネ化を目的として双眼鏡の姿勢センサを用いて、所定時間自動的に手振れ補正システムの動作が継続されている時に、双眼鏡の観察中か否かを判定して途中で手振れ補正動作を停止させる技術を開示している。
【特許文献１】特開２００６−１９５３７５号公報
【発明の開示】
【発明が解決しようとする課題】
【０００８】
そこで、本発明の目的は、手振れ補正機能と省エネ化を両立させながら、バッテリー残量低下時の光学機器の使い勝手を改善させた双眼鏡やビデオカメラ、デジタルカメラ、スチルカメラ等に適用した光学機器を提供することにある。
【課題を解決するための手段】
【０００９】
上記目的を達成するために、第１の本発明の手ぶれ補正機能を有する光学機器は、手ぶれを補正する振れ補正手段と、機器の手ぶれ状態を検出する振れ検出手段と、前記振れ検出信号に基づいて前記振れ補正手段を制御する手ぶれ制御手段と、前記機器の電源電圧量を検出する残量検出手段と、スイッチを操作することによって前記手ぶれ補正動作のＯＮ状態又はＯＦＦ状態を切換えるための操作スイッチと、前記操作スイッチの操作を検出する操作スイッチ検出手段と、を備えた手ぶれ補正機能を有する光学機器であって、
前記操作スイッチを操作することによって所定時間だけ手ぶれ補正動作のＯＮ状態を前記手ぶれ制御手段により継続する第１の操作モードと、前記操作スイッチを操作し続けている間のみ手ぶれ補正動作のＯＮ状態を前記手ぶれ制御手段により継続する第２の操作モードと、を備え、
前記残量検出手段で検出された前記電源電圧量が所定値未満の場合、前記第１の操作モードの動作を禁止して前記第２の操作モードの動作を許可するモード設定手段と、を有する構成とした。
【００１０】
本発明の更なる目的又はその他の特徴は、以下、添付の図面を参照して説明される好ましい実施例等によって明らかにされるであろう。
【発明の効果】
【００１１】
本発明の光学機器によれば、バッテリー残量が低下した場合、自動的に第１の操作モードの動作を禁止して第２の操作モードの動作を許可するように制御する。
【００１２】
従って、手振れ補正機能を損ねる事無く、省エネ化を図りながら良好なる使用感を実現できる効果を得ている。
【発明を実施するための最良の形態】
【００１３】
以下に、本発明の実施の形態を添付の図面に基づいて詳細に説明する。
【実施例１】
【００１４】
図１には、本発明の実施例１である手振れ補正機能を有する光学機器としての双眼鏡（観察装置）の構成を示す。
【００１５】
１０１は、手振れ補正機能を有する双眼鏡であり、その内部には、以下に説明する観察時の手振れによる像振れを抑制するための手ぶれ補正（防振）システムを有する。
【００１６】
１０２ａは、双眼鏡１０１のピッチ方向（垂直方向）の振れに応じた角速度信号を出力する振れ検出手段（角速度センサ）としてのピッチジャイロである。
【００１７】
１０２ｂは、双眼鏡のヨー方向（水平方向）の振れに応じた角速度信号を出力する振れ検出手段（角速度センサ）としてのヨージャイロである。
【００１８】
１０３ａ，１０３ｂは、ハイパスフィルタであり、それぞれピッチ及びヨージャイロ１０２ａ，１０２ｂから出力された角速度信号のうち手振れによって発生する周波数帯域（例えば、０．１〜３０Ｈｚ）の成分を取り出す。
【００１９】
１２０は、制御手段としての１チップマイクロコンピュータ（以下、単にマイコンという）であり、電源回路１１２からの動作電源の供給に基づいて動作する。
【００２０】
マイコン１２０内には、積分演算部１０５，パンニング処理部１０６及び制御信号生成部１０７を含む、防振制御部１２１がある。
【００２１】
更に、マイコン１２０内には、バッテリ１０５の残量検出手段としてのバッテリチェック部１２４と、バッテリ１０５の電源を安定化させる電源回路１１２の制御部１２５と、タイマ部１２７とが含まれる。
【００２２】
また、制御手段としてのマイコン１２０には、手ぶれ制御手段や切換え手段やモード設定手段としての機能も有する。
【００２３】
更に、マイコン１２０内には、操作スイッチ１１２の操作状態を示す検出信号を検出する操作スイッチ検出手段としての操作スイッチ状態検出部１３０がある。
【００２４】
更に、操作スイッチ１１２の操作状態から像振れを抑制する制御時間を自動的に設定するか否かを選択するモード選択手段としての手振れ補正（以下ＩＳと称す）作動選択手段１３１がある。
【００２５】
また、システム制御部１２２は、上述した操作スイッチ１１２から電源回路１１２と電源制御部１１５により回路が起動させ、ＩＳ補正動作を制御する防振制御部１２１を含む種々の制御部を統括する。
【００２６】
積分演算部１０５は、ハイパスフィルタ１０３ａ，１０３ｂを通してマイコン１２０に入力された角速度信号を、マイコン１２０内の不図示のＡ／Ｄ変換器を介して取り込み、積分演算をすることで、角変位信号に変換する。
【００２７】
つまり、ジャイロ１０２ａ，１０２ｂからの出力に基づいて角変位信号を生成する。
【００２８】
パンニング処理部１０６は、角速度信号と積分演算部１０５からの角変位信号とに基づいて、双眼鏡１０１がパンニングされている状態を検出する。
【００２９】
駆動信号生成部１０７は、角変位信号からの像振れをキャンセルするように後述の可変頂角プリズム１０６ａ，１０６ｂを動作させるためのピッチ方向及びヨー方向への駆動量（以下、補正量という）を含む制御信号を生成する。
【００３０】
この補正量は、マイコン１２０内の不図示のＤ／Ａ変換器を介してデジタル信号として出力される。
【００３１】
ジャイロ１０２ａ，１０２ｂ、ハイパスフィルタ１０３ａ，１０３ｂ、積分演算部１０５、パンニング設定部１０６及び駆動信号生成部１０７により、振れ検出手段としての振れ検出系が構成される。
【００３２】
可変頂角プリズム（以下、ＶＡＰという）１０６ａ，１０６ｂは、それぞれ、右眼用及び左眼用の防振用の振れ補正手段として機能し、それぞれの眼によって観察される像振れを抑制する。
【００３３】
ＶＡＰは、対向する２枚の透明板と、それらの外周部を取り囲む蛇腹状のフィルムと、これら透明板及びフィルムの内側に充填された高屈折率の透明液体とにより構成されている。
【００３４】
少なくとも一方の透明板は、ピッチ軸及びヨー軸回りで回動可能な保持枠によって保持されている。
【００３５】
保持枠とともに透明板が回動することで、２枚の透明板がなす角度（頂角）が変化し、ＶＡＰに入射して射出していく光束の向きを変化させる。
【００３６】
これにより、観察される像の振れが抑制される。
【００３７】
なお、右眼用ＶＡＰ１０６ａと左眼用ＶＡＰ１０６ｂは、不図示の駆動機構によって連結されている。
【００３８】
そして、駆動機構にピッチ方向用アクチュエータとヨー方向用アクチュエータからの駆動力を作用させることで、右眼用ＶＡＰ１０６ａ，左眼用１０６ｂをピッチ方向及びヨー方向に連動させることができる。
【００３９】
各アクチュエータは、双眼鏡の本体に固定された電磁コイルと、駆動機構のうちＶＡＰ１０６ａ，ＶＡＰ１０６ｂとともに移動する部材に固定された磁石及びヨークとにより構成されている。
【００４０】
１１５は、ＶＡＰ１０６ａ，１０６ｂを駆動する駆動手段としてのＶＡＰ駆動系である。
【００４１】
ＶＡＰ駆動系は、駆動部１１１ａ，１１１ｂと、位置検出器１０９ａ，１０９ｂと、比較器１１０ａ，１１０ｂとを有する。
【００４２】
ＶＡＰ駆動系も、後述する電源回路１１４からの動作電源の供給に基づいて動作する。
【００４３】
位置検出器１０９ａ，１０９ｂは、それぞれ、ＶＡＰ１０８ａ，１０８ｂ（駆動機構）のピッチ方向及びヨー方向の位置（角度）を検出し、ＶＡＰ１０８ａ，１０８ｂ（駆動機構）の位置に応じた信号を出力する。
位置検出器１０９ａ，１０９ｂは、例えば、赤外線ダイオードとＰＳＤセンサ（Ｐｏｓｉｔｉｏｎ  Ｓｅｎｓｉｔｉｖｅ  Ｄｅｔｅｃｔｏｒ）とにより構成される。
比較器１１０ａは、ピッチ方向位置検出器１０９ａからの位置信号と、制御信号生成部１０７からのピッチ方向制御信号とを比較する。
比較器１１０ｂは、ヨー方向位置検出器１０９ｂからの位置信号と、制御信号生成部１０７からのヨー方向制御信号とを比較する。
【００４４】
これら比較器１１０ａ，１１０ｂは、位置信号と制御信号との差分信号を出力する。
【００４５】
駆動部１１１ａは、ピッチ方向用アクチュエータを含み、ピッチ方向比較器１１０ａからのピッチ差分信号に基づいて、ＶＡＰ１０６ａ，１０６ｂをピッチ方向に駆動する。
【００４６】
駆動部１１１ｂは、ヨー方向用アクチュエータを含み、ヨー方向比較器１１０ｂからのヨー差分信号に基づいて、ＶＡＰ１０６ａ，１０６ｂをヨー方向に駆動する。
【００４７】
１０５は、電力供給源としての電池である。
【００４８】
電源回路１１４は、電池１１３からの電圧を安定させ、各部に動作電源を供給する。
【００４９】
バッテリチェック部（ＢＣ）１２４は、電池１０５の電圧（以下、電池電圧という）をマイコン１０４内の不図示のＡ／Ｄ変換器を通じて取り込んで、電池１０５の残量（電池の状態）を検出する。
【００５０】
双眼鏡１０１を使用している状態で、電池１１３は、フル残量状態からの経過時間に応じて電池電圧が徐々に降下していく。
【００５１】
したがって、電池１０５の電圧を検出することで、電池１１３の電源電圧量の残量を判別することができる。
【００５２】
また、残量検出手段としてのバッテリチェック部（ＢＣ）１２４は、電池１０５の電源電圧量（電池残量）が所定値以上であれば表示画面にＬＥＤランプ１４０を点灯する（図２、図３参照）。
【００５３】
逆に、電池電圧１０５が所定値未満であればＬＥＤランプ１４０を消灯して電池１０５の電源電圧量（電池残量）の低下を表示画面に警告表示する（図２、図３参照）。
【００５４】
この警告表示が残量警告手段に相当する。
【００５５】
タイマ部１１７は、バッテリチェック１１６による検出結果を受けて、所定時間としてのＩＳタイマ時間を設定する。
【００５６】
使用者は、操作スイッチ１１２を操作することで、手ぶれ補正システム（ＩＳ補正システム）を動作させるか停止させるかを選択することができる。
【００５７】
また、操作スイッチ１１２（以下、ＩＳスイッチ）の操作の仕方により、２種類の手ぶれ補正動作の作動時間を選択できる。
【００５８】
以下の説明において、ＩＳスイッチ１１２におけるＩＳ補正開始信号を出力させる操作をＯＮ状態（オン）といい、ＩＳ補正停止信号を出力させる操作をＯＦＦ状態（オフ）という。
【００５９】
ＩＳスイッチ１１２の１回の操作期間が短い（例えば３秒未満）場合は、手ぶれ補正動作をＯＮ状態とするために、ＩＳスイッチ１１２を押すと、ＩＳ補正作動時間は、予め決められた期間（例えば５分）を自動的に作動継続する。
【００６０】
再度、手ぶれ補正動作をＯＦＦ状態とするために、ＩＳスイッチ１１２を短時間だけ押すと、手ぶれ補正動作（ＩＳ補正動作）を停止する。
【００６１】
この時の、ＩＳ作動時間を第１の操作モード（ＩＳ時間自動設定モード１）と呼ぶ。
【００６２】
また、ＩＳスイッチ１１２の１回の操作期間が長い（例えば３秒以上）場合は、ＩＳ補正作動時間はＩＳスイッチ１１２が操作して（押されている）いる間だけ、手ぶれ補正動作をＯＮ状態を維持する。
【００６３】
使用者がＩＳスイッチ１１２を離すと、手ぶれ補正動作はＯＦＦ状態となる。
【００６４】
この時の、ＩＳ作動時間を第２の操作モード（ＩＳ時間操作モード２）と呼ぶ。
【００６５】
第１の操作モードは、一度、短時間たけＩＳスイッチ１１２を押すと、自動的にＩＳ補正作動時間が継続させるので、双眼鏡１０１での観察時間が長い場合には、双眼鏡の持ち方も安定し、使用者の手が疲れず操作性が良い。
【００６６】
但し、ＩＳスイッチ１１２の切り忘れがあると無駄に電力を消費する。
【００６７】
第２の操作モードは、ＩＳスイッチ１１２を押している間だけ手ぶれ補正動作をＯＮ状態とするので、双眼鏡１０１での観察時間が短い場合（見たい時だけ）には、使用電力は効率的に使われる。
【００６８】
但し、第２の操作モードの操作が長時間になる場合や、頻繁に繰り返し使用すると使用者の手が疲れ操作性が悪い。
【００６９】
つまり、第１の操作モードは、操作スイッチ１１２を短時間だけ操作することによって所定時間だけ手ぶれ補正動作のＯＮ状態を手ぶれ制御手段により継続するモードである。
【００７０】
第２の操作モードは、操作スイッチ１１２を操作し続けている間のみ手ぶれ補正動作のＯＮ状態を手ぶれ制御手段により継続するモードである。
【００７１】
本実施例では、電池１０５の電源電圧量（バッテリ残量）が所定値Ｖ２以上の場合は、使用者の使い方に応じて第１の操作モード（ＩＳ時間自動設定モード１）及び第２の操作モード（ＩＳ時間操作モード２）を有効にする。
【００７２】
本実施例１では、ＩＳ時間自動設定モード１を作動している状態において、残量検出手段１２４で検出された電源電圧量が所定値Ｖ２未満となった場合、自動的に手ぶれ補正動作のＯＮ状態をＯＦＦ状態に切換える制御を行う。
【００７３】
ここで、電池（ここでは、アルカリ乾電池とする）１０５の放電特性を、図３に３０１で示す。
【００７４】
電池１０５の蓄積電圧は、双眼鏡１０１のＩＳ作動累積時間（横軸Ｔ０〜Ｔ２）に応じて電力消費され、図３の縦軸Ｖ３〜Ｖ１まで低下する。
【００７５】
縦軸の単位は、ボルト（Ｖ）で、横軸は、時間Ｔ（秒）である。
【００７６】
電池の残量が所定値Ｖ３〜Ｖ２に至る期間Ｔ０〜Ｔ１は、第１の操作モード（ＩＳ時間自動設定モード１）及び第２の操作モード（ＩＳ時間操作モード２）を許可する制御を行う。
【００７７】
そして、電池の残量が所定値Ｖ２〜Ｖ１に至る期間Ｔ１〜Ｔ２は、第１の操作モード（ＩＳ時間自動設定モード１）の使用を禁止して第２の操作モード（ＩＳ時間操作モード２）のみ許可する制御を行う。
【００７８】
更に、電池の残量が所定値Ｖ１未満のＴ２以降は、第１の操作モード（ＩＳ時間自動設定モード１）及び第２の操作モード（ＩＳ時間操作モード２）の両モードが作動しない。
【００７９】
次に、図２のフローチャート、図３を用いてＩＳ作動システムで行われる処理の流れについて説明する。
【００８０】
図２では、バッテリ（電池）１０５の電圧レベルが低下すると（Ｓ２０９）、ＩＳ補正作動時間が自動的に設定される第１の操作モード（ＩＳ時間自動設定モード１）が禁止されると共に（Ｓ２２３）、ＬＥＤが消灯される警告処理が示されている（Ｓ２２４）。
【００８１】
ステップ（図ではＳと略記する）２０１〜ステップ２０３までは、ＩＳスイッチ１１２がオンされる（Ｓ２０１）と、電源回路１１４が起動する（Ｓ２０２）。
【００８２】
そして、残量検出手段としてのバッテリチェック部（ＢＣ）１２４は、電池１０５の電源電圧値を計測する（Ｓ２０３）。
【００８３】
電池１０５の電源電圧量Ｖが所定値Ｖ１（例えば１．８Ｖ）未満（ＮＯ判定）であれば（ＢＣ１／Ｓ２０４）、自動的にＬＥＤが消灯される処理が行われ（Ｓ２３０）、電源回路１１４が停止される。
【００８４】
そして、自動的にＩＳ時間自動設定モード１及びＩＳ時間操作モード２が禁止される（Ｓ２３１）。
【００８５】
ステップ２０４〜ステップ２０８までは、電池１０５の電源電圧量Ｖが所定値Ｖ１（例えば１．８Ｖ）以上（ＹＥＳ判定）であれば（Ｓ２０４）、ＬＥＤが点灯する（Ｓ２０５）。
【００８６】
そして、手ぶれ補正動作が可能であることを示し、ＩＳスイッチ１１２がＯＮ状態を確認する（Ｓ２０６）。
【００８７】
ここで、ＯＮ状態が所定時間（例えば３秒）以下であれば、ＩＳ時間自動設定モード１（Ｓ２０８）と判定し、ＯＮ状態が所定時間（例えば３秒）以上であれば、ＩＳ時間操作モード２（Ｓ２２０）と判定する（Ｓ２０７）。
【００８８】
ステップ２０９〜ステップ２２４までは、ＩＳ時間自動設定モード１の動作を示す。
【００８９】
ＩＳ時間自動設定モード１と判定すると（Ｓ２０８）、再度、電池１０５の電圧を監視する（Ｓ２０９）。
【００９０】
次に、予め設定された所定時間（例えば５分）のカウントを開始して（Ｓ２１０）、ＩＳスイッチが再度押されない限り、ＩＳ補正動作を継続しながら電池１０５の電源電圧値Ｖを監視する（Ｓ２０９〜Ｓ２１３）。
【００９１】
予め設定された所定時間（例えば５分）以上となった場合（Ｓ２１１でＹＥＳ判定）、ＩＳ作動停止（Ｓ２２３）に移行する。
【００９２】
ＩＳオフ（Ｓ２１３）は、ＩＳスイッチ１１２が再度押されてＩＳ補正動作をＯＦＦ状態にする場合をＹＥＳ判定とするフローを示している。
【００９３】
やがて、電池１０５の電源電圧値Ｖが決められた所定値Ｖ２（例えば２．２Ｖ）未満（ＮＯ判定）となる（ＢＣ２／Ｓ２０９）。
【００９４】
その場合、ＩＳ補正動作を禁止し強制的に停止させると共に（Ｓ２２３）、ＬＥＤランプ１４０を消灯させて、ＩＳ時間自動設定モード１の停止を表示画面に警告表示する（Ｓ２２４）。
【００９５】
ステップ２２０〜ステップ２２４までは、ＩＳ時間操作モード２の動作を示す。
【００９６】
Ｓ２０７において、ＩＳ時間操作モード２と判定すると（Ｓ２２０）、ＩＳスイッチ１１２が使用者により離された状態をＳＷ状態検知部１３０にて検出するまでの間（Ｓ２０６）、ＩＳ補正動作（Ｓ２２１）を行う。
【００９７】
但し、ＩＳオフ（Ｓ２２２）は、ＩＳスイッチ１１２を使用者が押し続けた状態（Ｓ２２２のＮＯ判定）においても電池１０５の電源電圧量Ｖが所定値Ｖ１以上であるか否かを監視していることを示している。
【００９８】
ＩＳ時間操作モード２の動作中に、電池１０５の電源電圧量Ｖが所定値Ｖ１未満（ＮＯ判定）となれば（ＢＣ１／Ｓ２０４）、ＬＥＤを消灯する処理が行われる（Ｓ２３０）。
【００９９】
そして、電源回路１１４が停止されて、ＩＳ時間操作モード２が禁止される（Ｓ２３１）。
【０１００】
ＩＳスイッチ１１２を使用者が押し続けた状態を解除した場合、つまり、ＩＳスイッチ１１２を離した場合（Ｓ２２２でＹＥＳ判定）、ＩＳ作動停止Ｓ２２３に移行する。
【０１０１】
本実施例１では、電池１０５の電源電圧量Ｖ（バッテリ残量）が所定値Ｖ２以上（例えば、２．２Ｖ以上）の場合は、使用者の使い方に応じて第１の操作モード及び第２の操作モードを使用できるようにしている。
【０１０２】
つまり、残量検出手段１２４で検出された電源電圧量が所定値Ｖ２以上（例えば、２．２Ｖ以上）の場合、モード設定手段としてのマイコン１２０にて第１の操作モード及び第２の操作モードの両方の動作を許可する制御を行っている。
【０１０３】
それに対して、電池１０５の電源電圧量Ｖが所定値Ｖ２未満（例えば、２．２Ｖ未満）で所定値Ｖ１以上（例えば、１．８Ｖ以上）の場合は、ＩＳ時間自動設定モード１を禁止して省エネ効果があるＩＳ時間操作モード２のみを使用できるようにしている。
【０１０４】
つまり、残量検出手段１２４で検出された電源電圧量Ｖが所定値Ｖ２未満（例えば、２．２Ｖ未満）で所定値Ｖ１以上（例えば、１．８Ｖ以上）の場合、第１の操作モードの動作を禁止して第２の操作モードの動作を許可する制御を行っている。
【０１０５】
以上、本発明の好ましい実施例について説明したが、本発明はこれらの実施例に限定されないことはいうまでもなく、その要旨の範囲内で種々の変形及び変更が可能である。
【０１０６】
本実施例では、双眼鏡を例にとって説明したが、ビデオカメラ、デジタルカメラ、スチルカメラ等の撮影装置に適用しても良い。
【図面の簡単な説明】
【０１０７】
【図１】本発明の実施例１である双眼鏡の構成を示す図。
【図２】実施例１におけるバッテリチェック処理のフローチャート。
【図３】双眼鏡におけるＩＳ作動システムの動作を示すタイミングチャート。
【符号の説明】
【０１０８】
１０１  双眼鏡
１１２  操作スイッチ
１２４  バッテリチェック部
１３１  作動時間モード設定部
１２０  マイコン
１４０  ＬＥＤ
【図１】
2010085914.tif 000003
【図２】
2010085914.tif 000004
【図３】
2010085914.tif 000005